(57)【要約】      （修正有）【課題】簡易な構成で、しかも腰があってハンドリング性に優れたグリップ付きパウチを提供する。【解決手段】パウチ１０の側縁をシールするシール部が折り返されたシール折り返し部２０を備えたパウチ１０と、シール折り返し部２０に結合されるグリップ３０と、を備え、グリップ３０には、前記シール折り返し部２０を含めてパウチ１０の表裏面を把持する一対の把持片４１，４２を備えたジョイント部４０が設けられ、該ジョイント部４０の一方の把持片４１には前記シール折り返し部２０の端部に係合してグリップ３０の抜け止めを図る抜け止め係合部４４が設けられていることを特徴とする。【選択図】図１
2014091569.tif 000002
【特許請求の範囲】
【請求項１】
側縁のシール部が折り返されたシール折り返し部を備えたパウチと、パウチのシール折り返し部に結合されるグリップと、を備え、グリップには、前記シール折り返し部を含めてパウチの表裏面を把持する一対の把持片を備えたジョイント部が設けられ、該ジョイント部の一方の把持片には前記シール折り返し部の折り返し端縁に係合してグリップの抜け止めを図る抜け止め係合部が設けられていることを特徴とするグリップ付きパウチ。
【請求項２】
前記ジョイント部は、前記シール折り返し部の延びる方向に沿ってスライドさせて前記パウチに着脱可能となっている請求項１に記載のグリップ付きパウチ。
【請求項３】
前記シール折り返し部とジョイント部の接触面間に、スライド方向に互いに係合する位置決め部が設けられていることを特徴とする請求項２に記載のグリップ付きパウチ。
【請求項４】
前記グリップは、パウチの底部を支持する底部サポートを備えていることを特徴とする請求項１乃至３のいずれかの項に記載のグリップ付きパウチ。
【請求項５】
前記グリップは、ジョイント部からパウチの側縁に対してパウチの外側に突出する取手を備えている請求項１乃至４のいずれかの項に記載のグリップ付きパウチ。
【請求項６】
前記グリップは、シール折り返し部よりもパウチの中央側に延びてパウチ表裏面の少なくとも一部を覆う指当て支持板を備えている請求項１乃至５のいずれかの項に記載のグリップ付きパウチ。
【請求項７】
前記指当て支持板には、滑り止めが設けられている請求項６に記載のグリップ付きパウチ。
【請求項８】
前記パウチはグリップが結合されるシール折り返し部の反対側の側縁上方にノズルを備える請求項１乃至７のいずれかに記載のグリップ付きパウチ。
【請求項９】
前記パウチのグリップ上端とノズルを結ぶ線よりも上方部分を折り曲げ可能で、当該折り曲げ部を保持する保持片が前記グリップに形成されている請求項８に記載のグリップ付きパウチ。
【請求項１０】
前記折り曲げ部の折り曲げ案内片が前記グリップに形成されている請求項９に記載のグリップ付きパウチ。
【発明の詳細な説明】
【技術分野】
【０００１】
本発明は、グリップを付けてハンドリング性を高めたパウチに関する。
【背景技術】
【０００２】
従来からスタンディングパウチに代表されるフィルム製のパウチは、使用後の廃棄性等に優れている反面、コシが弱いために、手で持った場合、握った力で容易に変形し、持ちにくく、また、強く握った場合には、内容物がこぼれるおそれもあり、ハンドリング性が悪いという欠点がある。
【０００３】
そこで、従来からグリップを付けてハンドリング性を高めたパウチが各種提案されており、たとえば、特許文献１には、パウチのサイドシール部に取付けるホルダが開示されている。このホルダは、パウチのサイドシール部を、表当接部材の係合溝と裏当接部材の係合突条の間で挟んで締め付け、サイドシール部を介して係合溝と係合突条を凹凸係合させて、固定するようになっていた。
しかし、サイドシール部は硬い場合が多く、このような凹凸係合によって締め付けることが困難である。
【０００４】
一方、特許文献２には、硬質のスパウト付きのパウチに取手を取り付けた例が示されている。この例では、硬いスパウトの首部を利用し、取手の一端をスパウトの首部に結合し、他端をパウチの底部に結合する構成となっている。
しかし、この場合、スパウトがあることが前提で、スパウトの無いパウチについては適用できないという問題があった。
【先行技術文献】
【特許文献】
【０００５】
【特許文献１】特開２００１−３１１１７号公報
【特許文献２】特開２００２−２２５８８５号公報
【発明の概要】
【発明が解決しようとする課題】
【０００６】
本発明は、上記した従来技術の問題点を解決するためになされたもので、その目的とするところは、簡易な構成で、しかも腰があってハンドリング性に優れたグリップ付きパウチを提供することにある。
【課題を解決するための手段】
【０００７】
上記目的を達成するために、本発明のグリップ付きパウチは、、側縁のシール部が折り返されたシール折り返し部を備えたパウチと、パウチのシール折り返し部に結合されるグリップと、を備え、グリップには、前記シール折り返し部を含めてパウチの表裏面を把持する一対の把持片を備えたジョイント部が設けられ、該ジョイント部の一方の把持片には前記シール折り返し部の折り返し端縁に係合してグリップの抜け止めを図る抜け止め係合部が設けられていることを特徴とする。
【発明の効果】
【０００８】
本発明によれば、シール部を折り返した剛性の高いシール折り返し部に着目し、このシール折り返し部を利用してグリップのジョイント部を構成したもので、簡易な構成でありながら、ハンドリング性に優れたグリップ付きパウチを実現できる。
【０００９】
また、本発明は次のように構成することもできる。
１．前記ジョイント部は、前記シール折り返し部の延びる方向に沿ってスライドさせて前記パウチに着脱可能とする。
このようにすれば、グリップの取付けを上方からあるいは下方からスライドさせて着脱することができ、着脱が容易となる。
２．前記シール折り返し部とジョイント部の接触面間に、スライド方向に互いに係合する位置決め部を設ければ、グリップの位置が確実に定まる。
３．前記グリップが、パウチの底部を支持する底部サポートを備えた構成とすれば、パウチの重量によって、不用意にジョイント部がずれる恐れがない。
４．前記グリップは、ジョイント部からパウチの側縁に対してパウチの外側に突出する取手を備えていてもよいし、シール折り返し部よりもパウチの中央側に延びてパウチ表裏面の少なくとも一部を覆う指当て支持板を有する構成としてもよい。
取手を備えていれば注ぎやすく、指当て支持板を備えていれば、パウチの外周を容器を握る間隔で扱うことができ、ハンドリング性が高い。
５．前記指当て支持板に滑り止めを設ければ、持ちやすくハンドリング性が一層向上する。
６．前記パウチはグリップが結合されるシール折り返し部の反対側の側縁上方にノズルを備えていることで、内容物の重量によってノズルを下方に向けることができる。
７．前記パウチのグリップ上端とノズルを結ぶ線よりも上方部分を折り曲げ可能で、当該折り曲げ部を保持する保持片を設ければ、注出口に向かって漏斗のような安定した流路ができ、内容物の注出が安定する。
８．前記折り曲げ部の折り曲げ案内片が前記グリップに形成されていれば、折り曲げ部の形状を一定に形成することができる。
【図面の簡単な説明】
【００１０】
【図１】図１は本発明の実施の形態に係るグリップ付きパウチを示すもので、（Ａ）は正面図、(Ｂ)はパウチのみを示す正面図、(Ｃ)はグリップのジョイント部を示す拡大断面図、（Ｄ）、（Ｅ）は位置決め凹部と位置決め切欠きとの係合、離脱状態の説明図である。
【図２】図２(Ａ)、(Ｂ)は図１のグリップ付きパウチのグリップの装着方法を示す図である。
【図３】図３（Ａ）、（Ｂ）は図１のグリップ付きパウチの使用状態を示す図である。
【図４】図４は本発明のグリップ付きパウチの他の形態を示すもので、（Ａ）、（Ｂ）はそれぞれグリップの他の形態を示す図、（Ｃ），（Ｄ）は各種抜け止め構成例を示す図である。
【図５】図５（Ａ），（Ｂ）は本発明のグリップ付きパウチのさらに他の実施の形態を示す図である。
【発明を実施するための形態】
【００１１】
以下に、本発明を図示の実施の形態に基づいて説明する。
図１は、本発明の実施の形態に係るグリップ付きパウチを示している。図において、１はグリップ付きパウチ全体を示し、このグリップ付きパウチ１は、側縁のサイドシール部１２が折り返されたシール折り返し部２０を備えたパウチ１０と、パウチのシール折り返し部２０に結合されるグリップ３０と、を備え、グリップ３０には、図１（C）に示すよ
うに、シール折り返し部２０を含めてパウチ１０の表裏面を把持する一対の把持片４１，４２を備えたジョイント部４０が設けられ、ジョイント部４０の一方の把持片４１にはシール折り返し部２０の折り返し端縁２２に係合してグリップ３０の抜け止めを図る抜け止め係合部４４が設けられている。
【００１２】
パウチ１０は、図１（Ｂ）,（Ｃ）に示すように、一対のフィルム１０２，１０３と底
面フィルム１０５を張り合わせた構成である。シール折り返し部２０が折り返されている側を表面フィルム１０２、反対側を裏面フィルム１０３とすると、表面フィルム１０２と裏面フィルム１０３は四角形状で、重ね合わされた左右両側辺部がサイドシール部１２，１３にて所定幅でヒートシールされ、表面フィルム１０２と裏面フィルム１０３の下端部には底面フィルム１０５が、底部シール部１５１にてヒートシールされている。また、パウチ１０の上側縁は、トップシール部１４にて封止されている。
また、パウチ１０はグリップが結合されるシール折り返し部２０の反対側の側縁上方にノズル１７を備えた構成である。
【００１３】
底面フィルム１０５は二つ折り構成で、表面フィルム１０２と裏面フィルム１０３の下端部に挟み込まれるようにしてシールされる構成で、底部シール部１５１の左右側辺部は、底面フィルム１０５が一部切り欠かれ、表面フィルム１０２と裏面フィルム１０３の熱溶着可能樹脂層が切欠き部を通じて接着されるポイントシール部１５２，１５２にてヒートシールされている。
【００１４】
このサイドシール部１２はシール折り返し部２０にて折り返されているが、シール折り返し部２０は、サイドシール部１２の中途部分を折り返してよいし、シール部分ではなく、サイドシール部１２の内側縁、あるいは内側縁から所定寸法だけ内側に離れた位置で折り返してもよい。また、シール折り返し部２０は、特に図示しないが、単一の折り返し線で折り返してもよいし、平行な複数の折り返し線にて複数段階に折り返していてもよい。
図示の例では、グリップ３０が結合されるシール折り返し部２０の反対側の側縁であるサイドシール部１３も折り返されている。サイドシール部を折り返したパウチについては、例えば、ＷＯ２００８／００１８２９に開示されている。
【００１５】
グリップ３０は、ジョイント部４０、取手５０、指当て支持板６０、及び底部サポート７０を備えている。
ジョイント部４０は、図１（Ｃ）に示すように、一側面が開口する断面コ字形状の長尺部材で、長方形状の一対の把持片４１，４２が所定間隔を隔てて対向配置され、反開口側の側縁が連結部４３によって連結された構成となっている。一対の把持片４１，４２の間隔は、ほぼシール折り返し部２０の厚さ程度に設定され、一対の把持片の４１，４２対向面は、パウチ１０の側縁に表裏面を挟むように接触している。
一方の把持片４１はパウチ１０の表側からシール折り返し部２０に接触し、他方の把持片４２はパウチ１０の裏側に接触している。そして、一方の把持片４１に設けられた抜け止め係合部４４は、図示例では把持片４１から、シール折り返し部２０の厚さ程度突出し、折り返されたサイドシール部１２の端縁である折り返し端縁２２に係合している。この抜け止め係合部４４は、把持片４１の長手方向全長にわたって延びている。
【００１６】
抜け止め係合部４４と連結部４３間の間隔は、シール折り返し部２０の幅とほぼ同一であり、ジョイント部４０の連結部４３の間で、シール折り返し部２０を幅方向に挟む構成となっている。
したがって、ジョイント部４０は、一対の把持片４１，４２でシール折り返し部２０を含むパウチ１０の側縁部を表裏面から挟み、連結部４３と抜け止め係合部４４との間で幅方向に挟んだ状態で、シール折り返し部２０に沿ってスライドする構成となっている。
【００１７】
また、シール折り返し部２０とジョイント部４０の接触面間には、スライド方向に互いに係合する位置決め部が設けられている。この例では、図１（Ｂ）に示すように、折り返し端縁２２の所定位置に位置決め用切欠き８１が設けられ、ジョイント部４０の抜け止め係合部４４に、図１（Ｄ）、（Ｅ）に示すように、位置決め用切欠き８１に係合可能な位置決め用凸部８２が突設されている。
【００１８】
位置決め用切欠き８１及び位置決め用凸部８２の形状は長方形状となっており、位置決め用凸部８２の端面と連結部との間隔は、シール折り返し部２０が通る程度に設定している。したがって、スライドして装着する際には、位置決め用凸部２０の端面が折り返し端縁２２に沿って摺動し（図１（Ｅ）参照）、位置決め用切欠き８１に達した時点で、位置決め用切欠き８１に嵌り込む。使用する際には、グリップ３０を上にして持ち上げるので、位置決め用切欠き８１にグリップ３０の位置決め用凸部８２が食い込む、引っ張り力が作用するので、係合状態が外れない。グリップ３０を外す際には、グリップ３０をパウチ１０側に押し込めば、係合状態を外すことができる。
なお、スライド方向の位置決めについては、図４（Ｄ）に示すように、シール折り返し部２０に位置決め用穴１８１を設け、ジョイント部２０に、この位置決め用穴１８１に係合するように凸部（不図示）を形成するようにしてもよい。また、切欠き８１についても、図４（Ｄ）に示すように、長方形状ではなく、台形状としてもよい。
また、ジョイント部４０の一端に、ぎざぎざ形状の返り２０１を設けて幅を狭くしておけば、抜け止めとなる。
また、特に図示しないが、位置決めのために、シール折り返し部２０を、傾斜した折れ目で折り返したり、サイドシール部１２の幅を徐々に変えるなどによりテーパー形状とし、テーパー部にて位置決めするように構成してもよい。
【００１９】
取手５０は、ジョイント部４０からパウチ１０の側縁に対してパウチ１０の外側に突出する構成で、図示例では、上下両端がジョイント部４０に連結され、取手５０とジョイント部４０との間に、空間が設けられている。この例では、ジョイント部４０と平行に延びる縦片５１と、縦片５１の上端からジョイント部４０に向けて直角に延びる横片５２と、縦片５１下端から下方に向かって徐々にジョイント部４０に近づく方向に傾斜する傾斜片５３とを有し、横片５２と傾斜片５３とでジョイント部４０に固定されている。
【００２０】
取手５０とジョイント部４０の間の空間は、人差し指から小指まで４本の指が入る大きさで、取手５０の上端の横片５２には、ジョイント部４０と反対方向に延びる指掛け部５４が設けられている。この指掛け部５４は、取手５０を握った際に親指を掛けるもので、反ジョイント部側に向けて上方に反った構成となっている。
【００２１】
指当て支持板６０は、一側がジョイント部４０に固定され、ジョイント部４０からパウチ１０の中央側に延びてパウチ１０表裏面を覆う構成で、一対の支持板によって構成されている。指当て支持板６０がパウチ１０を覆う部分の外形線は、ジョイント部４０から山形に突出した曲線形状で、雲形定規の外形線のように、山の頂部が上部に片寄った形状となっており、頂部からパウチ１０の底部側に向けて直線的に傾斜して張出量が小さくなっている。もっとも、指当て支持板６０の形状は特に限定されものではない。
この一対の指当て支持板６０の間隔は、この例では、ジョイント部４０の厚み分だけ離間して互いに平行に延びているが、パウチ１０の中央側に向けて拡がる方向に傾斜していてもよい。
また、指当て支持板６０には、滑り止めパッド６２が設けられている。この滑り止めパッド６２は、この例では、指が当接することを予定している範囲である。
【００２２】
底部サポート７０は、ジョイント部４０の下端からＬ字形状に突出する長方形状の板によって構成されている。パウチ１０のシール折り返し部２０が形成された側縁の底部は、底部サポート７０が嵌り込むスリット７２が設けられている。もっとも、底部に係合すればよく、スリット７２がなくてもよいし、１枚の板形状に限らず、２枚をＶ字状に組み合わせたり、水平板等によって構成してもよい。
グリップ３０の脱落を防止できるほか、パウチ１０の重量を下から支えるため把持性が良好になり、パウチ１０に対するグリップ３０の取り付け姿勢が矯正されて安定する。
【００２３】
次に、本発明のグリップ付きパウチ１の作用について説明する。
グリップ３０は、パウチ１０に対して着脱自在であり、使用前はパウチ１０には装着されていない。使用する際に、パウチ１０にグリップ３０が装着される。
グリップ３０の装着は、図２（Ａ）、（Ｂ）に示すように、パウチ１０の底部側から、ジョイント部４０の一対の把持片４１，４２の隙間に、シール折り返し部２０の形成されたパウチ側縁を差し込み、折り返し端縁２２を抜け止め係合部４４に係合させて、上方にスライドさせる。所定位置まで移動させると、ジョイント部４０の抜け止め係合部４４に設けられた位置決め用凸部８２が、シール折り返し部２０の位置決め用切欠き８１に嵌り込み、位置決めされる。
【００２４】
この位置決め用凸部８２が位置決め用切欠き８１に嵌り込んだ時点で、接触面圧が急に低下するので、使用者は感覚で所定位置に達したことが分かる。また、この位置に達すると、底部サポート９０が底部に当接する位置である。
指当て支持板６０間の隙間がジョイント部４０の厚み程度であり、指当て支持板６０が内容物で膨れたパウチ１０の表裏面に干渉するが、パウチ１０の表裏面は柔軟で変形自体なので、パウチ１０を手で押えてジョイント部４０をスライドさせることで、スムースに差し込むことができる。グリップ３０を取り付けると、指当て支持板６０によって押えられた分、逆側が膨れる形となる。
【００２５】
次に、図２（Ｂ）に示すように、ノズル１７を切断して注出口を形成し、図３に示すように、グリップ３０を掴んで傾けることによって、内容液を注出する。
グリップ３０の掴み方としては、図３（Ａ）に示すように、取手５０を握ってもよいし、図３（Ｂ）に示すように、指当て支持板６０を把持するようにしてもよく、用途に合わせて適宜選択可能である。
このようにすれば、ハンドリング性が格段に向上し、形状を保持する硬質の容器に移し替えなくても、ダイレクト使用が可能となる。
使用が終われば、グリップ３０を外し、新しいパウチ１０に付け替えることによって、グリップ３０を何度でも使用可能である。
なお、上記実施の形態では、グリップ３０に、取手５０と指当て支持板６０の両方を設けているが、図４（Ａ）に示すように、指当て支持板６０のみでもよいし、図４（Ｂ）に示すように取手５０のみとしてもよい。また、特に図示しないが、底部サポート７０のみとしてもよく、指当て支持板６０のみと底部サポート７０の組み合わせ、取手５０のみと底部サポート７０の組み合わせ、としてよく、任意の組み合わせを選択することができる。さらに最も簡単には、取手、指当て支持板、底部サポートとも備えず、ジョイント部４０を直接把持する構成でもよい。
また、ジョイント部４０を取手５０と一体で成形してよいし、ジョイント部４０と指当て支持板６０とを一体成形してもよい。
底部サポート７０を設けない場合、グリップ３０をパウチ１０の上方からスライドさせて取り付けるようにしてもよい。底部サポートを別部材として、グリップを上方からスライドさせて取り付けた後から固定するようにしてもよいし、ジョイント部に対して折り畳み式に組み付けてもよい。
【００２６】
図５（Ａ）には、パウチ１０のグリップ３０上端とノズル１７を結ぶ線よりも上方部分であるフラップ部１８を折り曲げて、グリップ３０の指当て支持板６０で保持し、ノズル１７に向けて流路を漏斗状とした例を示している。この例では、指当て支持板６０がフラップ部１８の保持部として機能するが、図５（Ｂ）のように、指当て支持板６０に保持部として保持片６４を設ければ、フラップ部１８の保持が容易にできる。
また、図５（Ｂ）に示す例では、グリップ３０の指押え支持部６０の支持板６１の上縁を、フラップ部１８の折り曲げ線に沿った形状としており、フラップ部１８の折り曲げ案
内片として用いることもできる。
フラップ部１８を折り曲げる場合、パウチに折れ線加工を施しておくのが好ましい。
また、指当て支持板６０をフラップ部１８に対応する位置に設けて、グリップ３０を把持した際に指当て支持板６０で挟持するようにすれば、フラップ部１８に内容液が流れ込まなくなるので、フラップ部１８を折り曲げるのと同様の内容液誘導効果が得られる。
【００２７】
なお、本発明は上記実施の形態に限定されるものではなく、本発明の趣旨を範囲で、種々の変更が可能である。たとえば、指当て支持板６０は、表裏一対の支持板を有する構成となっているが、少なくともいずれか一方でもよいし、パウチ１０全体を覆ってもいいし、一対の支持板の形状が表裏非対称でもよい。
また、上記実施の形態では、スパウトの付いていないノズル付きパウチを例にとって説明したが、ノズルを有しないパウチでもよく、スパウト付きのパウチにも適用できる。
さらに、本発明のグリップが適用されるパウチとして、スタンディングパウチを例にとって説明したが、スタンディングパウチに限定されるものではなく、三方シール袋、四方シール袋、ガゼット袋等種々の形式のパウチに適用可能である。パウチがスタンディングパウチでない平パウチの場合、底部サポートがスタンドとして利用できるのが好ましい。または、指当て支持板を接地するまで下方に延ばしてもよい。
【符号の説明】
【００２８】
１  グリップ付きパウチ
１０  パウチ
１０２  表面フィルム、１０３  裏面フィルム、１０５  底面フィルム
１２，１３  サイドシール部、１４  トップシール部
１５１  底部シール部、１５２  ポイントシール部、１７  ノズル、１８  フラップ部
２０  シール折り返し部、２２  折り返し端縁
３０  グリップ
４０  ジョイント部
４１、４２    把持片
４３  連結部
４４  抜け止め係合部
５０  取手
５１  縦片、５２  横片、５３  傾斜片、５４  指掛け部
６０  指当て支持板、６２  滑り止めパッド
７０  底部サポート、７２  スリット
８１  位置決め用切欠き
８２  位置決め用凸部
【図１】
2014091569.tif 000003
【図２】
2014091569.tif 000004
【図３】
2014091569.tif 000005
【図４】
2014091569.tif 000006
【図５】
2014091569.tif 000007